(57)【要約】      （修正有）【課題】放電灯の寿命を向上できる放電灯駆動装置を提供する。【解決手段】放電灯に駆動電流を供給する放電灯駆動部と、放電灯駆動部を制御する制御部と、を備える。制御部は、放電灯の設定アーク長を判断しＳ４、設定アーク長に基づいて放電灯駆動部を制御しＳ５、設定アーク長が異なることで劣化の度合いが異なる放電灯ごとに応じて、適切な制御を行う。【選択図】図７
2016162679.tif 000002
【特許請求の範囲】
【請求項１】
放電灯に駆動電流を供給する放電灯駆動部と、
前記放電灯駆動部を制御する制御部と、
を備え、
前記制御部は、前記放電灯の設定アーク長を判断し、前記設定アーク長に基づいて前記放電灯駆動部を制御することを特徴とする放電灯駆動装置。
【請求項２】
前記制御部は、前記設定アーク長に基づいて、前記放電灯に供給される前記駆動電流による熱負荷を調整する、請求項１に記載の放電灯駆動装置。
【請求項３】
前記制御部は、
前記設定アーク長が所定の範囲内にあると判断した場合、前記駆動電流を第１駆動電流に設定し、
前記設定アーク長が前記所定の範囲内よりも小さいと判断した場合、前記駆動電流を前記第１駆動電流よりも熱負荷が小さい第２駆動電流に設定し、
前記設定アーク長が前記所定の範囲内よりも大きいと判断した場合、前記駆動電流を前記第１駆動電流よりも熱負荷が大きい第３駆動電流に設定する、請求項１または２に記載の放電灯駆動装置。
【請求項４】
前記制御部は、
前記放電灯に定格電力より大きい駆動電力が供給される高電力駆動を実行可能であり、
前記高電力駆動を実行し前記設定アーク長を判断する、請求項１から３のいずれか一項に記載の放電灯駆動装置。
【請求項５】
前記制御部は、前記放電灯の電極間電圧に基づいて前記設定アーク長を判断する、請求項４に記載の放電灯駆動装置。
【請求項６】
前記制御部は、前記放電灯の点灯開始から所定時間が経過して、前記電極間電圧が安定したタイミングで、前記高電力駆動を実行する、請求項５に記載の放電灯駆動装置。
【請求項７】
前記高電力駆動における前記駆動電流の周波数は、１００Ｈｚ以上、３００Ｈｚ未満である、請求項４から６のいずれか一項に記載の放電灯駆動装置。
【請求項８】
前記設定アーク長が記憶される第１の記憶部を備え、
前記制御部は、前記第１の記憶部に記憶された前記設定アーク長を参照して、前記設定アーク長を判断する、請求項１から３のいずれか一項に記載の放電灯駆動装置。
【請求項９】
光を射出する前記放電灯と、
請求項１から８のいずれか一項に記載の放電灯駆動装置と、
を備えることを特徴とする光源装置。
【請求項１０】
請求項９に記載の光源装置と、
前記光源装置から射出される光を映像信号に応じて変調する光変調素子と、
前記光変調素子により変調された光を投射する投射光学系と、
を備えることを特徴とするプロジェクター。
【請求項１１】
前記設定アーク長が記憶される第２の記憶部を備え、
前記第２の記憶部は、前記光源装置に設けられる、請求項１０に記載のプロジェクター。
【請求項１２】
操作を受け付ける入力受付部を備え、
前記制御部は、前記放電灯に定格電力より大きい駆動電力が供給される高電力駆動を実行可能であり、前記高電力駆動を実行し前記設定アーク長を判断し、
前記制御部は、前記入力受付部が操作を受け付けた場合に、前記高電力駆動を実行する、請求項１０または１１に記載のプロジェクター。
【請求項１３】
前記入力受付部が受け付ける前記操作は、前記プロジェクターの停止操作を含む、請求項１２に記載のプロジェクター。
【請求項１４】
放電灯に駆動電流を供給して、前記放電灯を駆動させる放電灯駆動方法であって、
前記放電灯の設定アーク長を判断し、前記設定アーク長に基づいて前記放電灯に前記駆動電流を供給することを特徴とする放電灯駆動方法。
【発明の詳細な説明】
【技術分野】
【０００１】
本発明は、放電灯駆動装置、光源装置、プロジェクター、および放電灯駆動方法に関する。
【背景技術】
【０００２】
例えば、特許文献１には、ランプ電圧が基準電圧以下の場合に、放電灯の状態を異常と判断するプロジェクターが記載されている。
【先行技術文献】
【特許文献】
【０００３】
【特許文献１】特開２００７−５９２８１号公報
【発明の概要】
【発明が解決しようとする課題】
【０００４】
ところで、上記のようなプロジェクターの放電灯は、製造時のばらつきによって個々の特性にばらつきが生じる。そのため、放電灯ごとに劣化が進行する程度が異なり、ランプ電圧を計測するのみでは、放電灯の劣化に対して十分に対処することができない場合があった。これにより、放電灯の寿命を十分に向上できない場合があった。
【０００５】
本発明の一つの態様は、上記問題点に鑑みて成されたものであって、放電灯の寿命を向上できる放電灯駆動装置、そのような放電灯駆動装置を備えた光源装置、およびそのような光源装置を備えたプロジェクターを提供することを目的の一つとする。また、本発明の一つの態様は、放電灯の寿命を向上できる放電灯駆動方法を提供することを目的の一つとする。
【課題を解決するための手段】
【０００６】
本発明の放電灯駆動装置の一つの態様は、放電灯に駆動電流を供給する放電灯駆動部と、前記放電灯駆動部を制御する制御部と、を備え、前記制御部は、前記放電灯の設定アーク長を判断し、前記設定アーク長に基づいて前記放電灯駆動部を制御することを特徴とする。
【０００７】
本発明の放電灯駆動装置の一つの態様によれば、設定アーク長に基づいて放電灯駆動部を制御する。そのため、設定アーク長が異なることで劣化の度合いが異なる放電灯ごとに応じて、適切な制御を行うことができる。したがって、本発明の放電灯駆動装置の一つの態様によれば、放電灯の寿命を向上できる。
【０００８】
前記制御部は、前記設定アーク長に基づいて、前記放電灯に供給される前記駆動電流による熱負荷を調整する構成としてもよい。
この構成によれば、例えば、設定アーク長が比較的小さい場合には、比較的熱負荷が小さい駆動電流を放電灯に供給し、設定アーク長が比較的大きい場合には、比較的熱負荷が大きい駆動電流を放電灯に供給できる。これにより、放電灯の電極の突起を適切な状態に維持しやすく、結果として、放電灯の寿命を向上できる。
【０００９】
前記制御部は、前記設定アーク長が所定の範囲内にあると判断した場合、前記駆動電流を第１駆動電流に設定し、前記設定アーク長が前記所定の範囲内よりも小さいと判断した場合、前記駆動電流を前記第１駆動電流よりも熱負荷が小さい第２駆動電流に設定し、前記設定アーク長が前記所定の範囲内よりも大きいと判断した場合、前記駆動電流を前記第１駆動電流よりも熱負荷が大きい第３駆動電流に設定する構成としてもよい。
この構成によれば、設定アーク長が設計目標値に対して大きく異なる場合に、通常の制御方法と異なる制御方法を採用することで、放電灯の寿命を向上できる。
【００１０】
前記制御部は、前記放電灯に定格電力より大きい駆動電力が供給される高電力駆動を実行可能であり、前記高電力駆動を実行し前記設定アーク長を判断する構成としてもよい。
この構成によれば、設定アーク長を正確に判断しやすい。
【００１１】
前記制御部は、前記放電灯の電極間電圧に基づいて前記設定アーク長を判断する構成としてもよい。
この構成によれば、設定アーク長を電極間電圧によって判断できるため、簡便である。
【００１２】
前記制御部は、前記放電灯の点灯開始から所定時間が経過して、前記電極間電圧が安定したタイミングで、前記高電力駆動を実行する構成としてもよい。
この構成によれば、設定アーク長をより正確に判断できる。
【００１３】
前記高電力駆動における前記駆動電流の周波数は、１００Ｈｚ以上、３００Ｈｚ未満である構成としてもよい。
この構成によれば、設定アーク長を正確に判断しやすく、かつ、電極の突起が損耗することを抑制できる。
【００１４】
前記設定アーク長が記憶される第１の記憶部を備え、前記制御部は、前記第１の記憶部に記憶された前記設定アーク長を参照して、前記設定アーク長を判断する構成としてもよい。
この構成によれば、設定アーク長を正確に判断できる。
【００１５】
本発明の光源装置の一つの態様は、光を射出する前記放電灯と、上記の放電灯駆動装置と、を備えることを特徴とする。
【００１６】
本発明の光源装置の一つの態様は、上記放電灯駆動装置を備えるため、放電灯の寿命を向上できる。
【００１７】
本発明のプロジェクターの一つの態様は、上記の光源装置と、前記光源装置から射出される光を映像信号に応じて変調する光変調素子と、前記光変調素子により変調された光を投射する投射光学系と、を備えることを特徴とする。
【００１８】
本発明のプロジェクターの一つの態様によれば、上記光源装置を備えるため、放電灯の寿命を向上できる。
【００１９】
前記設定アーク長が記憶される第２の記憶部を備え、前記第２の記憶部は、前記光源装置に設けられる構成としてもよい。
この構成によれば、光源装置に設けられた第２の記憶部に予め設定アーク長を記憶させておくことができる。
【００２０】
操作を受け付ける入力受付部を備え、前記制御部は、前記放電灯に定格電力より大きい駆動電力が供給される高電力駆動を実行可能であり、前記高電力駆動を実行し前記設定アーク長を判断し、前記制御部は、前記入力受付部が操作を受け付けた場合に、前記高電力駆動を実行する構成としてもよい。
この構成によれば、高電力駆動を実行した際に、使用者に違和感を与えることを抑制できる。
【００２１】
前記入力受付部が受け付ける前記操作は、前記プロジェクターの停止操作を含む構成としてもよい。
この構成によれば、高電力駆動を実行した際に、使用者に違和感を与えることをより抑制できる。
【００２２】
本発明の放電灯駆動方法の一つの態様は、放電灯に駆動電流を供給して、前記放電灯を駆動させる放電灯駆動方法であって、前記放電灯の設定アーク長を判断し、前記設定アーク長に基づいて前記放電灯に前記駆動電流を供給することを特徴とする。
【００２３】
本発明の放電灯駆動方法の一つの態様によれば、上述したのと同様にして、放電灯の寿命を向上できる。
【図面の簡単な説明】
【００２４】
【図１】本実施形態のプロジェクターの概略構成図である。
【図２】本実施形態における放電灯の断面図である。
【図３】本実施形態のプロジェクターの各種構成要素を示すブロック図である。
【図４】本実施形態の放電灯点灯装置の回路図である。
【図５】本実施形態の制御部の一構成例を示すブロック図である。
【図６】放電灯の電極先端の突起の様子を示す図である。
【図７】本実施形態の制御部による放電灯駆動部の制御手順の一例を示すフローチャートである。
【図８】ランプ電圧の変化の一例を示すグラフである。
【発明を実施するための形態】
【００２５】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２６】
図１に示すように、本実施形態のプロジェクター５００は、光源装置２００と、平行化レンズ３０５と、照明光学系３１０と、色分離光学系３２０と、３つの液晶ライトバルブ（光変調素子）３３０Ｒ，３３０Ｇ，３３０Ｂと、クロスダイクロイックプリズム３４０と、投射光学系３５０と、を備えている。
【００２７】
光源装置２００から射出された光は、平行化レンズ３０５を通過して照明光学系３１０に入射する。平行化レンズ３０５は、光源装置２００からの光を平行化する。
【００２８】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００２９】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、映像信号に応じてそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を備えている。偏光板は、液晶パネル５６０Ｒ，５６０Ｇ，５６０Ｂのそれぞれの光入射側および光射出側に配置される。
【００３０】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に映像が表示される。なお、平行化レンズ３０５、照明光学系３１０、色分離光学系３２０、クロスダイクロイックプリズム３４０、投射光学系３５０の各々の構成としては、周知の構成を採用することができる。
【００３１】
図２は、光源装置２００の構成を示す断面図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡５０と、を備えている。
【００３２】
放電灯点灯装置１０は、放電灯９０に駆動電流Ｉを供給して放電灯９０を点灯させる。主反射鏡１１２は、放電灯９０から放出された光を照射方向Ｄに向けて反射する。照射方向Ｄは、放電灯９０の光軸ＡＸと平行である。
【００３３】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００３４】
放電空間９１には、第１電極（電極）９２および第２電極（電極）９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００３５】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００３６】
第１端子５３６および第２端子５４６は、放電灯点灯装置１０に接続されている。放電灯点灯装置１０は、第１端子５３６および第２端子５４６に、放電灯９０を駆動するための駆動電流Ｉを供給する。その結果、第１電極９２および第２電極９３の間でアーク放電が起きる。アーク放電により発生した光（放電光）は、破線の矢印で示すように、放電位置から全方向に向かって放射される。
【００３７】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００３８】
副反射鏡５０は、固定部材５２２により、放電灯９０の第２端部９０ｅ２側に固定されている。副反射鏡５０の反射面（放電灯９０側の面）の形状は、放電空間９１の第２端部９０ｅ２側の部分を囲む球面形状である。副反射鏡５０は、放電光のうち、主反射鏡１１２が配置された側と反対側に向かって進む光を主反射鏡１１２に向かって反射する。これにより、放電空間９１から放射される光の利用効率を高めることができる。
【００３９】
固定部材１１４，５２２の材料は、放電灯９０からの発熱に耐え得る耐熱材料である範囲内において、特に限定されず、例えば、無機接着剤である。主反射鏡１１２および副反射鏡５０と放電灯９０との配置を固定する方法としては、主反射鏡１１２および副反射鏡５０を放電灯９０に固定する方法に限らず、任意の方法を採用できる。例えば、放電灯９０と主反射鏡１１２とを、独立にプロジェクター５００の外装筐体（図示せず）に固定してもよい。副反射鏡５０についても同様である。
【００４０】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Central Processing Unit）５８０と、を備えている。
【００４１】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００４２】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００４３】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００４４】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００４５】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００４６】
ＣＰＵ５８０は、プロジェクター５００の動作開始から動作停止に至るまでの各種の動作を制御する。例えば、図３の例では、通信信号５８２を介して放電灯９０の点灯命令や消灯命令を放電灯点灯装置１０に出力する。ＣＰＵ５８０は、放電灯点灯装置１０から通信信号５８４を介して放電灯９０の点灯情報を受け取る。
【００４７】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、動作検出部６０と、イグナイター回路７０と、を備えている。
【００４８】
電力制御回路２０は、放電灯９０に供給する駆動電力を生成する。本実施形態においては、電力制御回路２０は、直流電源装置８０からの電圧を入力とし、入力電圧を降圧して直流電流Ｉｄを出力するダウンチョッパー回路で構成されている。
【００４９】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００５０】
コイル２３の他端にコンデンサー２４の一端が接続され、コンデンサー２４の他端はダイオード２２のアノード端子および直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Pulse Width Modulation）制御信号が用いられてもよい。
【００５１】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００５２】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００５３】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００５４】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００５５】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００５６】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００５７】
制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値（駆動電力の電力値）、周波数等のパラメーターを制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御部４０は、電力制御回路２０に対して、出力される直流電流Ｉｄの電流値を制御する電流制御を行う。
【００５８】
制御部４０は、後述する放電灯９０の設定アーク長Ｌｃを判断し、設定アーク長Ｌｃに基づいて放電灯駆動部２３０を制御する。本実施形態においては、制御部４０は、放電灯９０に交流電流が供給される定常点灯モード（定常点灯駆動）と、放電灯９０に定格電力より大きい駆動電力が供給される調査モード（高電力駆動）と、を実行可能である。本実施形態において制御部４０は、調査モードを実行し放電灯９０の設定アーク長Ｌｃを判断する。詳細については、後述する。
【００５９】
制御部４０の構成は、特に限定されない。本実施形態においては、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００６０】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧Ｖｌａおよび駆動電流Ｉに基づき、電力制御回路コントローラー４２および極性反転回路コントローラー４３を制御してもよい。
【００６１】
本実施形態においては、システムコントローラー４１には、記憶部４４が接続されている。
システムコントローラー４１は、記憶部４４に格納された情報に基づき、電力制御回路２０および極性反転回路３０を制御してもよい。記憶部４４には、例えば、駆動電流Ｉが同一極性で継続する保持時間、駆動電流Ｉの電流値、基本周波数、波形、変調パターン等の駆動パラメーターに関する情報が格納されていてもよい。基本周波数とは、定常点灯モードにおいて、放電灯９０に供給される駆動電流Ｉの周波数である。
【００６２】
本実施形態において記憶部（第１の記憶部）４４には、例えば、後述する調査モードにおけるランプ電圧Ｖｌａ１から、放電灯９０の設定アーク長Ｌｃを判断するためのランプ電圧Ｖｌａ１の所定の範囲の値が記憶されている。
【００６３】
電力制御回路コントローラー４２は、システムコントローラー４１からの制御信号に基づき、電力制御回路２０へ電流制御信号を出力することにより、電力制御回路２０を制御する。
【００６４】
極性反転回路コントローラー４３は、システムコントローラー４１からの制御信号に基づき、極性反転回路３０へ極性反転制御信号を出力することにより、極性反転回路３０を制御する。
【００６５】
制御部４０は、専用回路を用いて実現され、上述した制御や後述する処理の各種制御を行うようにすることができる。これに対して、制御部４０は、例えば、ＣＰＵが記憶部４４に記憶された制御プログラムを実行することによりコンピューターとして機能し、これらの処理の各種制御を行うようにすることもできる。
【００６６】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００６７】
図４に示した例では、制御部４０は、放電灯点灯装置１０の一部として構成されている。これに対して、制御部４０の機能の一部をＣＰＵ５８０が担うように構成されていてもよい。
【００６８】
動作検出部６０は、本実施形態においては、放電灯９０のランプ電圧Ｖｌａを検出して制御部４０にランプ電圧情報を出力する電圧検出部を含む。また、動作検出部６０は、駆動電流Ｉを検出して制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００６９】
本実施形態において、動作検出部６０の電圧検出部は、放電灯９０と並列に、互いに直列接続された第１の抵抗６１および第２の抵抗６２で分圧した電圧によりランプ電圧Ｖｌａを検出する。また、本実施形態において、電流検出部は、放電灯９０に直列に接続された第３の抵抗６３に発生する電圧により駆動電流Ｉを検出する。
【００７０】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００７１】
図６（ａ），（ｂ）には、第１電極９２および第２電極９３の先端部分が示されている。第１電極９２および第２電極９３の先端にはそれぞれ突起５５２ｐ，５６２ｐが形成されている。第１電極９２と第２電極９３の間で生じる放電は、主として突起５５２ｐと突起５６２ｐとの間で生じる。本実施形態のように突起５５２ｐ，５６２ｐがある場合には、突起が無い場合と比べて、第１電極９２および第２電極９３における放電位置（アーク位置）の移動を抑えることができる。
【００７２】
図６（ａ）は、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００７３】
また、このとき、衝突する電子によって陽極（第１電極９２）の先端（突起５５２ｐ）が削れて、第１電極９２と第２電極９３との電極間距離Ｌが大きくなる。電極間距離Ｌは、第１電極９２の突起５５２ｐと第２電極９３の突起５６２ｐとの間の距離である。
【００７４】
図６（ｂ）は、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５６２ｐ）の温度が上昇する。また、第２電極９３の突起５６２ｐが削れて、電極間距離Ｌが大きくなる。
【００７５】
このように、放電灯９０に駆動電流Ｉが供給されることで、電子が衝突する陽極の温度は上昇する。一方、電子を放出する陰極は、陽極に向けて電子を放出している間、温度は低下する。
【００７６】
また、放電灯９０に駆動電流Ｉが供給されることで、陽極となる側の電極先端の突起が削れて、電極間距離Ｌが大きくなる。電極間距離Ｌが大きくなると、第１電極９２と第２電極９３との間の抵抗が大きくなるため、ランプ電圧Ｖｌａが大きくなる。したがって、ランプ電圧Ｖｌａを参照することによって、電極間距離Ｌの変化を検出することができる。
【００７７】
電極間距離Ｌの変化は、設定アーク長Ｌｃによって異なる。設定アーク長Ｌｃとは、突起５５２ｐ，５６２ｐが無い状態における第１電極９２と第２電極９３との距離である。設定アーク長Ｌｃが大きいほど、電極間距離Ｌは大きくなりやすい傾向にあり、設定アーク長Ｌｃが小さいほど、電極間距離Ｌは大きくなりにくい傾向にある。
【００７８】
なお、第１電極９２と第２電極９３とは、同様の構成であるため、以下の説明においては、代表して第１電極９２についてのみ説明する場合がある。また、第１電極９２の先端の突起５５２ｐと第２電極９３の先端の突起５６２ｐとは、同様の構成であるため、以下の説明においては、代表して突起５５２ｐについてのみ説明する場合がある。
【００７９】
次に、本実施形態の制御部４０による放電灯駆動部２３０の制御について説明する。
図７は、本実施形態の制御部４０による放電灯駆動部２３０の制御の手順を示すフローチャートである。
【００８０】
図７に示すように、制御部４０は、放電灯９０の点灯を開始する（ステップＳ１）。放電灯９０のランプ電圧Ｖｌａは、点灯開始から徐々に上昇し、所定時間が経過した後、安定する。制御部４０は、ランプ電圧Ｖｌａが安定する定常点灯期間に移行した後、調査モードを実行する（ステップＳ２）。すなわち、本実施形態において制御部４０は、放電灯９０の点灯開始から所定時間が経過して、ランプ電圧Ｖｌａが安定したタイミングで、調査モードを実行する。
【００８１】
調査モードは、上述したように、放電灯９０に定格電力より大きい駆動電力が供給される駆動モードである。調査モードにおける駆動電流Ｉの周波数は、例えば、１００Ｈｚ以上、３００ｋＨｚ未満である。調査モードにおいて駆動電流Ｉの周波数をこのように設定することにより、調査モード中の突起５５２ｐの急変を抑制できる。そのため、より正確に設定アーク長Ｌｃを判断できる。
【００８２】
調査モードの実行時間は、例えば、５ｍｓ（ミリ秒）以上、３ｓ（秒）以下程度とできる。調査モードの実行時間をこのように設定することで、より正確に設定アーク長Ｌｃを判断できるとともに、第１電極９２の突起５５２ｐの損耗を抑制できる。なお、調査モードの実行時間は、放電灯９０の設定アーク長Ｌｃを判断できる範囲内で、できる限り短い方が好ましい。第１電極９２の損耗を抑制できるためである。
【００８３】
次に、制御部４０は、動作検出部６０の電圧検出部を制御して、ランプ電圧Ｖｌａの測定する（ステップＳ３）。ランプ電圧Ｖｌａの測定は、調査モードの実行中、あるいは、調査モードを実行した直後に行われる。
なお、以下の説明においては、調査モードの実行中、あるいは、調査モードを実行した直後に測定されたランプ電圧Ｖｌａを、調査モードにおけるランプ電圧Ｖｌａ１とする。
【００８４】
調査モードにおけるランプ電圧Ｖｌａ１は、電極間距離Ｌが設定アーク長Ｌｃである場合におけるランプ電圧Ｖｌａの値とほぼ近い値となる。これは、調査モードによって放電灯９０に定格電力よりも大きい駆動電力が供給されることで、突起５５２ｐが溶融されて扁平化するためである。これにより、第１電極９２の形状を、突起５５２ｐが形成されていない状態の形状に近づけることができる。したがって、調査モードにおけるランプ電圧Ｖｌａ１として、電極間距離Ｌが設定アーク長Ｌｃである場合のランプ電圧Ｖｌａに近い値を得ることができる。
【００８５】
以上により、調査モードにおけるランプ電圧Ｖｌａ１の大きさは、設定アーク長Ｌｃの大きさを示す指標として用いることができる。
なお、電極間距離Ｌが設定アーク長Ｌｃである場合とは、突起５５２ｐがない場合に相当する。以下の説明においては、電極間距離Ｌが設定アーク長Ｌｃである場合のランプ電圧Ｖｌａを、設定アーク長Ｌｃにおけるランプ電圧Ｖｌａ２とする。
【００８６】
次に、制御部４０は、測定したランプ電圧Ｖｌａ１に基づいて、設定アーク長Ｌｃを判断する（ステップＳ４）。そして、制御部４０は、判断した設定アーク長Ｌｃに基づいて、定常点灯期間における駆動電流を設定する（ステップＳ５）。
【００８７】
制御部４０による設定アーク長Ｌｃの判断は、調査モードにおけるランプ電圧Ｖｌａ１の値が、所定の範囲内であるか否かの判断を含む。すなわち、制御部４０は、調査モードにおけるランプ電圧Ｖｌａ１の値が所定の範囲内であれば、設定アーク長Ｌｃは通常であると判断する。制御部４０は、調査モードにおけるランプ電圧Ｖｌａ１の値が所定の範囲よりも小さければ、設定アーク長Ｌｃが通常よりも小さいと判断する。制御部４０は、調査モードにおけるランプ電圧Ｖｌａ１の値が所定の範囲よりも大きければ、設定アーク長Ｌｃが通常よりも大きいと判断する。
【００８８】
本実施形態において、調査モードにおけるランプ電圧Ｖｌａ１の所定の範囲は、例えば、設定アーク長Ｌｃの設計目標値に基づいて決定できる。
例えば、設定アーク長Ｌｃにおけるランプ電圧Ｖｌａ２が、設定アーク長Ｌｃが設計目標値である場合のランプ電圧Ｖｌａ２の値を中心として±５Ｖの範囲内であれば、設定アーク長Ｌｃは通常の範囲内であると判断されるとする。この場合、設定アーク長Ｌｃが通常と判断されるランプ電圧Ｖｌａ２の範囲の値を、全体的に数Ｖ程度下げた値が、調査モードにおけるランプ電圧Ｖｌａ１の所定の範囲として決定される。具体例としては、ランプ電圧Ｖｌａ２の範囲が、６５Ｖ以上、７５Ｖ以下である場合、調査モードにおけるランプ電圧Ｖｌａ１の所定の範囲は、例えば、６２Ｖ以上、７２Ｖ以下とできる。
【００８９】
制御部４０は、設定アーク長Ｌｃが通常、すなわち、所定の範囲内にあると判断した場合、定常点灯期間における駆動電流を、通常設定される駆動電流（第１駆動電流）に設定する。
制御部４０は、設定アーク長Ｌｃが所定の範囲内よりも小さいと判断した場合には、定常点灯期間における駆動電流を、通常設定される駆動電流よりも熱負荷が小さい駆動電流（第２駆動電流）に設定する。
【００９０】
制御部４０は、設定アーク長Ｌｃが所定の範囲内よりも大きいと判断した場合には、定常点灯期間における駆動電流を、通常設定される駆動電流よりも熱負荷が大きい駆動電流（第３駆動電流）に設定する。
すなわち、制御部４０は、設定アーク長Ｌｃに基づいて、放電灯９０に供給される駆動電流Ｉによる熱負荷を調整する。
【００９１】
熱負荷が比較的高い駆動電流とは、例えば、直流と交流とが交互に繰り返されるような波形を含む駆動電流である。
熱負荷が比較的低い駆動電流とは、例えば、周波数が比較的高い交流電流の割合が高い波形を含む駆動電流である。
【００９２】
本実施形態において、上述した調査モードが実行されるのは、プロジェクター５００を初めて使用する場合、すなわち、放電灯９０が初めて点灯される場合である。すなわち、制御部４０は、放電灯９０が初めて点灯された直後に放電灯９０の設定アーク長Ｌｃを判断し、定常点灯期間における駆動電流を設定する。その後は、初回に判断された設定アーク長Ｌｃに基づいて、放電灯９０の劣化に応じた駆動を行うことができる。
【００９３】
なお、プロジェクター５００の放電灯９０を交換した場合には、制御部４０は、交換した放電灯９０を初めて点灯する際に、再度調査モードを実行する。
【００９４】
次に、具体的な複数の放電灯を例示して、上記制御部４０の制御について具体的に説明する。複数の放電灯としては、表１に示すＮｏ．１〜Ｎｏ．５の放電灯である。
【００９５】
【表１】
2016162679.tif 000003
【００９６】
初期電極間距離Ｌ０とは、第１電極９２および第２電極９３に突起５５２ｐ，５６２ｐが形成された放電灯９０が製造された時点における電極間距離Ｌである。初期ランプ電圧Ｖｌａ０とは、電極間距離Ｌが初期電極間距離Ｌ０である場合のランプ電圧Ｖｌａである。表１には、Ｎｏ．１〜Ｎｏ．５の放電灯に対して調査モードを実行して測定した調査モードにおけるランプ電圧Ｖｌａ１を示している。
【００９７】
制御部４０は、Ｎｏ．１〜Ｎｏ．５の放電灯を表２に示す基準に基づいて、設定アーク長Ｌｃの判断を行う。
【００９８】
【表２】
2016162679.tif 000004
【００９９】
表２に示す基準に基づく場合、調査モードにおけるランプ電圧Ｖｌａ１が６２Ｖ以上、７２Ｖ以下であるＮｏ．２〜Ｎｏ．４の放電灯は設定アーク長Ｌｃが通常であると判断される。一方、調査モードにおけるランプ電圧Ｖｌａ１が６２Ｖより小さいＮｏ．１の放電灯は、設定アーク長Ｌｃが小さいと判断される。また、調査モードにおけるランプ電圧Ｖｌａ１が７２Ｖよりも大きいＮｏ．５の放電灯は、設定アーク長Ｌｃが大きいと判断される。
【０１００】
以上のように判断される結果として、Ｎｏ．２〜Ｎｏ．４の放電灯は、定常点灯期間の駆動電流として、通常の熱負荷を有する駆動電流（第１駆動電流）が設定される。Ｎｏ．１の放電灯は、定常点灯期間の駆動電流として、通常よりも小さい熱負荷を有する駆動電流（第２駆動電流）が設定される。Ｎｏ．５の放電灯は、定常点灯期間の駆動電流として、通常よりも大きい熱負荷を有する駆動電流（第３駆動電流）が設定される。
【０１０１】
一例として上記に示したＮｏ．１〜Ｎｏ．５の放電灯では、各放電灯の初期ランプ電圧Ｖｌａ０の大小関係と、各放電灯の調査モードにおけるランプ電圧Ｖｌａ１の大小関係、すなわち、設定アーク長Ｌｃの大小関係とは、同じであるが、これに限られない。初期ランプ電圧Ｖｌａ０は、突起５５２ｐが形成された状態において測定されたランプ電圧Ｖｌａであるため、突起５５２ｐの形成状態によっては、調査モードにおけるランプ電圧Ｖｌａ１の大小関係と異なる場合がある。例えば、設定アーク長Ｌｃが大きい放電灯であっても、突起５５２ｐが長く形成されれば、初期ランプ電圧Ｖｌａ０は小さくなり、設定アーク長Ｌｃが小さい放電灯であっても、突起５５２ｐが短く形成されれば、初期ランプ電圧Ｖｌａ０は大きくなる。
【０１０２】
本実施形態によれば、設定アーク長Ｌｃに基づいて放電灯駆動部２３０が制御されるため、放電灯９０の寿命を向上できる。以下、詳細に説明する。
【０１０３】
放電灯９０のランプ電圧Ｖｌａの変化は、放電灯９０ごとの特性値、例えば、設定アーク長Ｌｃによって異なる。
図８は、上記の表１に示したＮｏ．１〜Ｎｏ．５の放電灯の累積点灯時間Ｔｔに対するランプ電圧Ｖｌａの変化を示すグラフである。
【０１０４】
図８に示すように、ランプ電圧Ｖｌａが同じ値、例えば、７５Ｖであっても、調査モードにおけるランプ電圧Ｖｌａ１、すなわち、設定アーク長Ｌｃが異なれば、ランプ電圧Ｖｌａの変化の傾きは異なる。そのため、設定アーク長Ｌｃが異なる放電灯９０に対して、ランプ電圧Ｖｌａの値のみに基づいて放電灯駆動部２３０の制御を行うと、放電灯９０に供給される駆動電流Ｉを適切に制御できない場合があった。これにより、放電灯９０の寿命を十分に向上できない場合があった。
【０１０５】
これに対して、本実施形態によれば、制御部４０は、設定アーク長Ｌｃに基づいて放電灯駆動部２３０の制御を行う。そのため、設定アーク長Ｌｃが異なる放電灯９０ごとに適切な制御を行うことが可能となる。したがって、本実施形態によれば、放電灯９０の寿命を向上できる。
【０１０６】
なお、図８の例では、ランプ電圧Ｖｌａが上昇し始める累積点灯時間Ｔｔの位置が、調査モードにおけるランプ電圧Ｖｌａ１によらず、ほぼ同じとなっているが、これに限られない。例えば、設定アーク長Ｌｃが大きいほど、すなわち、調査モードのランプ電圧Ｖｌａ１が大きいほど、ランプ電圧Ｖｌａが上昇し始めるまでの累積点灯時間Ｔｔが小さくなる場合がある。
【０１０７】
また、本実施形態によれば、制御部４０は、設定アーク長Ｌｃに基づいて、放電灯９０に供給される駆動電流Ｉによる熱負荷を調整する。そのため、例えば、設定アーク長Ｌｃが比較的小さい場合には、熱負荷を低めて、突起５５２ｐが成長し過ぎないようにし、設定アーク長Ｌｃが比較的大きい場合には、熱負荷を高めて、突起５５２ｐの成長を促すことができる。これにより、本実施形態によれば、突起５５２ｐを最適な長さに維持しやすく、結果として放電灯９０の寿命を向上できる。
【０１０８】
また、本実施形態によれば、制御部４０は、設定アーク長Ｌｃ、すなわち、本実施形態では調査モードにおけるランプ電圧Ｖｌａ１が、所定の範囲内であるか否かを判断する。そのため、設計目標値に対する放電灯９０の設定アーク長Ｌｃの誤差がある程度の範囲内であれば、制御部４０は、設定アーク長Ｌｃが通常であると判断する。すなわち、制御部４０は、放電灯９０の設定アーク長Ｌｃが設計目標値に対してある程度大きく異なる場合にのみ、放電灯９０の駆動電流波形を通常とは異なる波形に設定する。したがって、本実施形態によれば、制御部４０による放電灯９０の制御を簡便にできる。
【０１０９】
また、突起５５２ｐの形状および大きさは、突起５５２ｐの形成の仕方等によって異なるため、放電灯９０の初期ランプ電圧Ｖｌａ０の大小が、設定アーク長Ｌｃの大小と同じになるとは限らない。そのため、放電灯９０の初期ランプ電圧Ｖｌａ０を単に測定することによっては、設定アーク長Ｌｃを正確に判断することは困難である。
【０１１０】
これに対して、本実施形態によれば、調査モードを実行することで、設定アーク長Ｌｃを判断する。調査モードにおいては、放電灯９０に定格電力よりも大きい駆動電力が供給されるため、第１電極９２の突起５５２ｐは、溶融して扁平化する。これにより、第１電極９２に形成された突起５５２ｐの大きさおよび形状の偏りを低減できる。したがって、本実施形態によれば、突起５５２ｐの大きさおよび形状によらず、設定アーク長Ｌｃをより正確に判断することができる。
【０１１１】
また、本実施形態によれば、制御部４０は、調査モードにおけるランプ電圧Ｖｌａ１を測定することで、設定アーク長Ｌｃを判断する。そのため、例えば、設定アーク長Ｌｃを測定するための検出器等を別途用いる必要がなく、簡便である。
【０１１２】
また、本実施形態によれば、制御部４０は、放電灯９０の点灯開始から所定時間が経過して、ランプ電圧Ｖｌａが安定したタイミング、すなわち、定常点灯期間となったタイミングで、調査モードを実行する。そのため、より正確に調査モードにおけるランプ電圧Ｖｌａ１を測定でき、設定アーク長Ｌｃを正確に判断しやすい。
【０１１３】
また、調査モードにおいては、駆動電力が定格電力よりも大きく設定されるため、放電灯９０から射出される光の輝度が大きくなる。そのため、プロジェクター５００から投影される映像の輝度が大きくなり、使用者に違和感を与える虞がある。
【０１１４】
これに対して、本実施形態によれば、定常点灯期間となったタイミングで調査モードが実行される。プロジェクター５００から映像が投影された直後においては、例えば、画面調整等によって使用者の映像に対する関心が低くなりやすい。そのため、本実施形態によれば、映像の輝度変化によって、使用者に違和感を与えにくい。
【０１１５】
また、例えば、調査モードにおいて突起５５２ｐが急激に成長すると、調査モードにおけるランプ電圧Ｖｌａ１を正確に測定できない場合がある。
これに対して、本実施形態によれば、調査モードにおける駆動電流Ｉの周波数は、例えば、１００Ｈｚ以上、３００ｋＨｚ未満である。調査モードにおいて駆動電流Ｉの周波数をこのように設定することにより、調査モード中の突起５５２ｐの急変を抑制できる。したがって、より正確に設定アーク長Ｌｃを判断できる。
【０１１６】
なお、本実施形態においては、以下の構成および方法を採用することもできる。
【０１１７】
上記説明においては、制御部４０は、設定アーク長Ｌｃの判断に基づいて、定常点灯期間における駆動電流Ｉによる熱負荷を調整する構成としたが、これに限られない。本実施形態においては、例えば、制御部４０は、放電灯９０の劣化に応じて放電灯９０の駆動方法を変更する場合、その変更の条件および変更する駆動方法の内容を、設定アーク長Ｌｃに基づいて設定してもよい。一例としては、制御部４０は、ランプ電圧Ｖｌａの変化に応じて、突起５５２ｐの成長を促すリフレッシュモードを実行する場合、リフレッシュモードが実行されるランプ電圧Ｖｌａの閾値を、設定アーク長Ｌｃに応じて設定してもよい。この場合、例えば、プロジェクター５００を使用し始めた初期の段階においては、設定アーク長Ｌｃによらず一定の駆動方法で放電灯９０が点灯される。そして、放電灯９０の劣化が進行した際に、設定アーク長Ｌｃによって異なる駆動方法が設定される。
【０１１８】
また、上記説明においては、定常点灯期間における駆動電流を、調査モードにおけるランプ電圧Ｖｌａ１に応じて、３種類の駆動電流から選択する構成としたが、これに限られない。本実施形態においては、定常点灯期間における駆動電流を、調査モードにおけるランプ電圧Ｖｌａ１に応じて、例えば、２種類、あるいは４種類以上の駆動電流のうちから選択する構成であってもよい。
【０１１９】
また、本実施形態において、例えば、突起５５２ｐを成長させるリフレッシュモードが実行されるような場合、制御部４０は、リフレッシュモード時の駆動電力、実行時間、実行タイミング等を設定アーク長Ｌｃに基づいて設定してもよい。
【０１２０】
また、本実施形態においては、記憶部４４に設定アーク長Ｌｃが記憶されていてもよい。この場合、制御部４０は、記憶部４４に記憶された設定アーク長Ｌｃを参照して、設定アーク長Ｌｃを判断する。すなわち、制御部４０は、記憶部４４に記憶された設定アーク長Ｌｃが所定範囲内であるか否かに応じて、駆動電流Ｉの駆動電流波形を設定する。この構成によれば、正確に設定アーク長Ｌｃを判断できる。
【０１２１】
この構成においては、記憶部４４を参照することによって設定アーク長Ｌｃを判断できるため、制御部４０は、プロジェクター５００の使用開始直後、すなわち、放電灯９０のランプ電圧Ｖｌａが安定する前に、記憶部４４を参照して設定アーク長Ｌｃを判断できる。
【０１２２】
また、本実施形態においては、記憶部４４に設定アーク長Ｌｃが記憶されている場合、記憶されている設定アーク長Ｌｃと、調査モードにおけるランプ電圧Ｖｌａ１とに基づいて、設定アーク長Ｌｃを判断してもよい。この構成によれば、例えば、記憶部４４に記憶されている設定アーク長Ｌｃと、実際の設定アーク長Ｌｃとの間に誤差が生じているような場合に、より正確に設定アーク長Ｌｃを判断できる。
【０１２３】
また、本実施形態においては、光源装置２００に設けられたＩＣチップ（第２の記憶部）を備える構成であってもよい。この構成によれば、光源装置２００に搭載されたＩＣチップに予め設定アーク長Ｌｃを記憶させておくことができる。この場合、制御部４０は、光源装置２００に設けられたＩＣチップを参照することで設定アーク長Ｌｃを判断する。
【０１２４】
また、本実施形態においては、例えば、設定アーク長Ｌｃを計測できる検出装置が別途設けられていてもよい。この場合、制御部４０は、検出装置によって検出された設定アーク長Ｌｃに基づいて、放電灯駆動部２３０を制御する。
【０１２５】
また、本実施形態においては、制御部４０は、プロジェクター５００に備えられた図示しない入力受付部が操作を受け付けた際に、調査モードを実行する構成としてもよい。操作の一例としては、使用者がプロジェクター５００のメニュー画面を開く操作、またはプロジェクター５００の電源をＯＦＦにする停止操作等である。
このような場合、表示される映像の輝度変化に対する使用者の関心は、比較的低くなりやすい。そのため、この構成によれば、調査モードによる輝度変化の違和感を使用者に与えにくい。
【０１２６】
また、使用者がプロジェクター５００の電源をＯＦＦにする停止操作、すなわち、放電灯９０の消灯操作を行う場合は、使用者の映像の輝度変化に対する関心が特に低くなりやすい。そのため、入力受付部がプロジェクター５００の停止操作を受け付けた際に調査モードを実行することで、調査モードによる輝度変化の違和感を使用者により与えにくい。
【０１２７】
図示しない入力受付部が操作を受け付ける方法は、特に限定されない。入力受付部は、例えば、プロジェクター５００の外装筐体に取り付けられた各種ボタンが押されることによって操作を受け付けてもよいし、プロジェクター５００のリモートコントローラーから送られる信号によって操作を受け付けてもよい。
【０１２８】
また、上記説明においては、初めてプロジェクター５００の放電灯９０を点灯する場合に一度だけ調査モードを実行する場合について説明したが、これに限られない。本実施形態においては、複数回、調査モードを行ってもよい。この場合、複数回の調査モードで取得された設定アーク長Ｌｃに関する情報、すなわち、本実施形態ではランプ電圧Ｖｌａ１に基づいて、設定アーク長Ｌｃを判断する。これにより、より正確に設定アーク長Ｌｃを判断することができる。この場合、調査モードは、一度のプロジェクター５００の使用時に複数回実行されてもよいし、異なるプロジェクター５００の使用時にそれぞれ実行されてもよい。
【０１２９】
なお、上記の実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１３０】
また、上記の実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【０１３１】
また、上記説明した各構成は、相互に矛盾しない範囲内において、適宜組み合わせることができる。
【符号の説明】
【０１３２】
１０…放電灯点灯装置（放電灯駆動装置）、４０…制御部、４４…記憶部（第１の記憶部）、９０…放電灯、９２…第１電極（電極）、９３…第２電極（電極）、２００…光源装置、２３０…放電灯駆動部、３３０Ｒ，３３０Ｇ，３３０Ｂ…液晶ライトバルブ（光変調素子）、３５０…投射光学系、５００…プロジェクター、Ｉ…駆動電流、Ｌｃ…設定アーク長
【図１】
2016162679.tif 000005
【図２】
2016162679.tif 000006
【図３】
2016162679.tif 000007
【図４】
2016162679.tif 000008
【図５】
2016162679.tif 000009
【図６】
2016162679.tif 000010
【図７】
2016162679.tif 000011
【図８】
2016162679.tif 000012